(57)【要約】【課題】  従来のカラーコーンとコーンバーによる仕切りでは次のような欠点があった。コーンバーの長さが決まってきるため、コーンバーやカラーコーンの数がどうしても多くなる。そうなると、搬送だけでも大変である。また、コーンバーが棒体であるため、凹凸のある地形では使用できない。そこで簡単に設置でき、長い距離に渡っても、視認性のよい安価な仕切り方法を提供する。【解決手段】  上方先端部に球状頭部を有するカラーコーン及び種々の着色が施されるか又は標識文字が印刷され、適当な間隔で多数の貫通孔又は切込みが設けられた標識テープ。【選択図】  図１
2006193963.tif 000002
【特許請求の範囲】
【請求項１】
上方先端部に球状頭部を有することを特徴とするカラーコーン。
【請求項２】
該球状頭部は、カラーコーン本体と一体成形して形成するものである請求項１記載のカラーコーン。
【請求項３】
該球状頭部は、上方に球状頭部を有し、下部にスカート部を有し、該スカート部にネジ孔を有するカラーコーン用固定部材をカラーコーンの上方先端部にネジ止めすることによって形成するものである請求項１記載のカラーコーン。
【請求項４】
該スカート部にカラーコーンの頂部突起を収容する空間を有するものである請求項３記載のカラーコーン。
【請求項５】
請求項１〜４のカラーコーンを連結して柵状化するためのテープであって、種々の着色が施されるか又は標識文字が印刷され、適当な間隔で多数の貫通孔又は切込みが設けられたことを特徴とする標識テープ。
【発明の詳細な説明】
【技術分野】
【０００１】
本発明は、カラーコーン及び標識テープに関するものである。
【背景技術】
【０００２】
カラーコーンとは、セイフティーコーン、道路用コーン等と呼ばれるもので、円錐形で通常プラスチック製のものが多い。道路工事現場や建築現場等を明示するためや、区切るためのものである。
【０００３】
カラーコーンは、単なる円錐状物であるため、これによって長い距離を区切ったり、立ち入り禁止にすることは難しい。よって、通常はコーンバーと呼ばれるものでカラーコーン同士を繋げ、その間を防御している。このコーンバーは、両端部に輪を有した棒状のものであり、この輪をカラーコーンの頂部に嵌めて長い仕切りバーにするのである。
【０００４】
このような従来のカラーコーンとコーンバー方式では次のような欠点があった。即ち、カラーコーンの設置間隔をコーンバーの長さに合わせて調整しなければならないため、わずかな移動や方向転換でも非常に手間である。
【０００５】
コーンバーは通常１．５ｍ又は２ｍであり長く嵩高いものである。また、両端の輪の部分が弱いため、運送や搬入時の衝撃によって損傷することが多い。更に、コーンバーに柔軟性がないため、平滑でない凹凸地形等では１つのカラーコーンと次のカラーコーンとを連結できないことがある。
【０００６】
コーンバーは太い棒状であるため、数十ｍ以上の仕切りをする場合にはその本数が多くなり、搬送だけでも大変であり、設置も手間である。勿論、費用もかかる。また、逆に２ｍ以上のコーンバーは扱い難いため通常はない。よって、数十ｍ〜１００ｍ以上になると、カラーコーンの数が非常に多くなる。これを、減らすために、特許文献１のようにコーンバーに替えて紐を使用している場合もあるが、紐では視認性が悪く事故の可能性があり、その紐に何かを付けるのであればそれだけで手間である。
【特許文献１】登録実用新案第３０２９７９６号
【発明の開示】
【発明が解決しようとする課題】
【０００７】
そこで簡単に設置でき、長い距離に渡っても、視認性のよい安価な仕切り方法を提供する。
【課題を解決するための手段】
【０００８】
以上のような状況に鑑み、本発明者は鋭意研究の結果本発明カラーコーン及び標識テープを完成させたものであり、その特徴とするところは、カラーコーンにあっては、上方先端部に球状頭部を有する点にあり、標識テープにあっては、カラーコーンを連結して柵状化するためのテープであって、着色が施されるか又は標識文字が印刷され、適当な間隔で多数の貫通孔又は切込みが設けられた点にある。
【０００９】
カラーコーンは、前記した通り、セイフティーコーン、道路用コーン等と呼ばれるものであるがこれに限らず、円錐形で場所を仕切るためや、場所を示すために載置するものであればどのようなものでもよい。大きさも自由である。
【００１０】
本発明は、カラーコーンであり、その上方先端（頂部）に球状頭部を有するものである。球状頭部とは、最上部に位置する部分であり、球体だけでなく、上部が曲面で構成されたもので下部が一部細くなっていればよい。
【００１１】
この球状頭部の形成方法は自由であり、本体と一緒に一体成形するのが簡単である。この方法では、他の部材は不要であり、製造も簡単で費用の従来のカラーコーンとほとんど変わらない。しかし、新たに製造しなければならず、すでに有しているカラーコーンには適用できない。
【００１２】
このような球状頭部を別部材で製造して、カラーコーンに固着してもよい。このような別部材の形状はどのようなものでもよく、球状頭部だけでも、それにカラーコーンの頂部の形状に合ったような固定部（固着部）を持ったような形状にしてもよい。固着の方法は自由であり、接着、ネジ止め、融着、溶接等どのような方法でもよい。
【００１３】
別部材の１例として、球状頭部とスカート部を有するカラーコーン用固定部材を用いてもよい。球状頭部は上記したと同様の構造であり、スカート部とは、下方に向かって広がった形状であり、曲面で構成されているものが望ましい。この広がり程度や角度等がカラーコーン（使用する）の頂部の曲面と近いものが好適である。
【００１４】
このスカート部には、少なくとも１つのネジ用貫通孔が設けられている。勿論、２つでもそれ以上でもよい。このネジは、本例のカラーコーン用固定部材とカラーコーンとを連結するものである。ネジは木ネジのようなものを使用すれば、カラーコーンには孔は不要である。
【００１５】
本例のカラーコーン用固定部材は、上記した球状頭部とスカート部のみでもよいが、その中間部分に連結部材設けても、空間部を設けてもよい。特に、空間部は、カラーコーンの頂部に製造時にできる突起部を収納できるため、その突起部を切除する必要がなくなる。
【００１６】
本発明カラーコーンの使用方法は、自由であり、特徴部である先端の球状頭部に種々のものを巻きつけたり、はめ込んだりして使用できる。
【００１７】
本出願では、このカラーコーンに最適に使用できる標識テープを提案する。標識テープとは、人の注意を喚起し危険を知らせたり、敷地の区域を明示したりするためのもので、そこに着色されたり文字が印刷されたりするものである。材質はプラスチックである。本発明では、このテープに所定間隔で多数の貫通孔又は切込みを入れたのである。この貫通孔や切込みを上記したカラーコーンの球状頭部に嵌め、テープを固定するのである。
このような標識テープは新規なものであるが、本発明のカラーコーンと合わせて使用することによって大きなメリットがある。
【００１８】
この標識テープは、長尺状で数十ｍ以上をロール巻きで保管し、現場で適当に切断するか端部を保管具のままにしてもよい。保管具は、単なるロールでも回転ハンドルを設けたものでもよい。
テープは幅が２〜１０ｃｍ程度が好適である。また、貫通孔等の間隔は自由であるが、１０〜５０ｃｍが好適である。これ以上狭いと強度の問題があり、これ以上広いと調整範囲が狭いためである。間隔は等間隔でもランダムでもどのような明け方でもよい。
【００１９】
貫通孔の形状はどのようなけ以上でもよいが円形が好適である。切込みの場合には十字に入れるのがよい。貫通孔や切込みの幅は、球状頭部の最大幅より少し小さい目がよい。
【発明の効果】
【００２０】
本発明カラーコーン及び標識テープには、次のような利点がある。
（１）  先端に球状頭部が設けられているため、テープ等の孔に簡単に挿入でき、取り外しも簡単である。
（２）  テープ等の孔が少し小さく構成した場合、風等で抜けることはない。
（３）  一体成形で構成する場合には製造が簡単である。
（４）  別体で取付ける場合には、カラーコーンに簡単に取付けることができる。一旦取付けると、邪魔にならないため、取り外す必要がない。即ち、通常の今までの使用方法についてはまったく支障がない。勿論、コーンバーも使用できる。カラーコーンを重ねる場合にも問題はない。
（５）  本発明標識テープには、多数の貫通孔等が設けられているため、長さの調整が容易である。
（６）  本発明標識テープを使用すると、凹凸の有る場所や曲がりくねった区域でも使用できる。
【発明を実施するための最良の形態】
【００２１】
以下図面に示す実施例に基づいて本発明をより詳細に説明する。
【実施例１】
【００２２】
図１は、本発明カラーコーン１の１例を示す斜視図である。頂部に球状頭部２が構成されている。これは、本体をプラスチックで成形するとき同時に成形されたものである。よって、製造は簡単で通常のカラーコーンの製造と変わらない。ただ型が少し変わるだけである。
【００２３】
図２は、球状頭部を別部材で構成するためのカラーコーン用固定部材３の１例を示す斜視図である。球状頭部２とスカート部４から構成されている。この例では、球状頭部２とスカート部４をプラスチックで一体成形している。勿論、別部材を固着したものでもよい。スカート部４にはネジ孔５が設けられている。
【００２４】
図３は、図１の固定部材３を通常のカラーコーン６に固定した部分縦断面図である。ネジ７がカラーコーン６にねじ込まれているのがわかる。
【００２５】
図４は、カラーコーンによく残存している頂部の突起８（製造時の樹脂の流しこみ部）を切除しなくとも固定できるタイプを示す。即ち、スカート部が上方で空間を有しているものである。
【００２６】
図５は、本発明標識テープ９を示す部分平面図である。全体が黄色で構成され、「立入禁止等」の文字が多数印刷されている。貫通孔文字と文字の間に設けられている。長い間隔で４０ｃｍ、短い間隔１０ｃｍである。勿論、文字の上にも等間隔で坑を設けてもよい。テープには、孔を明けてもそこから裂けないないように周囲を補強したり、延伸しない等の工夫を施してもよい。
【００２７】
図６は、図３のカラーコーンを並べ、その頭部に標識テープ９を嵌めた図である。この時、テープを１回づつねじって止めてもよい。そうすれば、テープに垂直な部分がでるたけ、印刷文字（あれば）が見えやすくなる。このようなカラーコーンとカラーコーンとの間隔は自由であるが、２〜５ｍ程度は十分可能である。コーンバーでは２ｍ以上は難しいため、カラーコーンの数を減らすことができる。これも大きなメリットである。
【図面の簡単な説明】
【００２８】
【図１】本発明カラーコーンの１例を示す斜視図である。
【図２】カラーコーン用固定部材の１例を示す斜視図である。
【図３】図２の固定部材をカラーコーンに固定した部分縦断面図である。
【図４】固定部材の他の例をカラーコーンに固定した部分縦断面図である。
【図５】本発明標識テープの１例を示す平面図である。
【図６】本発明カラーコーンを並べ、その頭部に標識テープを嵌めた側面図である。
【符号の説明】
【００２９】
１  カラーコーン
２  球状頭部
３  カラーコーン用固定部材
４  スカート部
５  ネジ孔
６  カラーコーン
７  ネジ
８  頂部の突起
９  標識テープ
１０  貫通孔
【図１】
2006193963.tif 000003
【図２】
2006193963.tif 000004
【図３】
2006193963.tif 000005
【図４】
2006193963.tif 000006
【図５】
2006193963.tif 000007
【図６】
2006193963.tif 000008